(57)【要約】【課題】ユーザに対して、より広告効果の高い広告情報提供システムを提供すること。【解決手段】本発明の広告情報提供システムは、ＩＰアドレス情報に対応する地域情報を格納しているＩＰデータベースと、広告情報を提供し得るＡＤサーバと、ＷＥＢサーバとを備えている。ＷＥＢサーバは、アクセスしてきた端末のＩＰアドレス情報に基づいて地域情報リクエストをＩＰデータベースに送信する。ＩＰデータベースは、そのＩＰアドレス情報で特定される端末の所属する地域情報を送信する。ＷＥＢサーバは、地域情報に対応する広告情報を提供し得るＡＤサーバに対して広告情報リクエストを送信し、ＡＤサーバは、広告情報を送信する。ＷＥＢサーバは、取得した広告情報を端末に送信して端末上に表示させる。【選択図】図１
2010049404.tif 000002
【特許請求の範囲】
【請求項１】
ＩＰアドレスと該ＩＰアドレスの割当てられた端末がどの地域内にあるかを示す地域情報とを互いに関連付けて格納しているＩＰデータベースと、広告情報を提供し得るＡＤサーバと、ＷＥＢサーバとを備える広告情報提供システムであって、
前記ＷＥＢサーバは、アクセスしてきた端末のＩＰアドレスに基づいた地域情報リクエストを前記ＩＰデータベースに送信し、
前記ＩＰデータベースは、前記地域情報リクエストに応じて、前記アクセスしてきた端末に対応する前記地域情報を前記ＷＥＢサーバに送信し、
前記ＷＥＢサーバは、該地域情報に対応する広告情報を提供し得る前記ＡＤサーバに対して広告情報リクエストを送信し、
前記ＡＤサーバは、前記広告情報リクエストに応じて、前記アクセスしてきた端末に対応する広告情報を前記ＷＥＢサーバに対してＷＥＢサーバに対して送信し、
前記ＷＥＢサーバは、前記対応する広告情報を前記アクセスしてきた端末に送信する、
広告情報提供システム。
【請求項２】
アクセスしてきた端末に対して広告情報を提供するＷＥＢサーバであって、
ＩＰアドレスと該ＩＰアドレスの割当てられた端末がどの地域内にあるかを示す地域情報とを互いに関連付けて格納しているＩＰデータベースに対して、前記アクセスしてきた端末のＩＰアドレスに基づいた地域情報リクエストを送信し、前記ＩＰデータベースから前記アクセスしてきた端末に対応する前記地域情報を取得するステップと、
該地域情報に対応する広告情報を提供し得るＡＤサーバに対して広告情報リクエストを送信し、前記広告情報を取得するステップと、
前記アクセスしてきた端末に対して前記広告情報を送信するステップと
を実行するＷＥＢサーバ。
【請求項３】
プロセッサ及び記憶装置を備えたコンピュータシステムにおいて前記プロセッサに対して所定の処理を実行させ、前記コンピュータシステムをＷＥＢサーバとして機能させるＷＥＢサーバ用プログラムであって、
前記所定の処理は、
ＩＰアドレスと該ＩＰアドレスの割当てられた端末がどの地域内にあるかを示す地域情報とを互いに関連付けて格納しているＩＰデータベースに対して、前記アクセスしてきた端末のＩＰアドレスに基づいた地域情報リクエストを送信し、前記ＩＰデータベースから前記アクセスしてきた端末に対応する前記地域情報を取得するステップと、
該地域情報に対応する広告情報を提供し得るＡＤサーバに対して広告情報リクエストを送信し、前記広告情報を取得するステップと、
前記アクセスしてきた端末に対して前記広告情報を送信するステップとを備える、
ＷＥＢサーバ用プログラム。
【発明の詳細な説明】
【技術分野】
【０００１】
本発明は、インターネットを通じた広告情報提供システムに関する。
【背景技術】
【０００２】
近年の発達したインターネットは、商品及びサービスの広告情報を提供する手段として高く評価されている。
【０００３】
広告主は、上記のようなオンライン広告の効果を向上させるため、例えば、ウェブサイト上において、当該ウェブサイトが提供する情報と関連した広告情報を提示したり、本来ならば失われてしまうおそれがある広告提供機会を有効に利用したりといった広告効果向上のための戦略をとっている（例えば、特許文献１の『背景技術』を参照）。
【０００４】
【特許文献１】特表２００７−５１７３３９号公報
【発明の開示】
【発明が解決しようとする課題】
【０００５】
本発明は、ユーザに対して、より広告効果の高い広告情報提供システムを提供することを目的とする。
【課題を解決するための手段】
【０００６】
本発明によれば、ＩＰアドレスと該ＩＰアドレスの割当てられた端末がどの地域内にあるかを示す地域情報とを互いに関連付けて格納しているＩＰデータベースと、広告情報を提供し得るＡＤサーバと、ＷＥＢサーバとを備える広告情報提供システムであって、
前記ＷＥＢサーバは、アクセスしてきた端末のＩＰアドレスに基づいた地域情報リクエストを前記ＩＰデータベースに送信し、
前記ＩＰデータベースは、前記地域情報リクエストに応じて、前記アクセスしてきた端末に対応する前記地域情報を前記ＷＥＢサーバに送信し、
前記ＷＥＢサーバは、該地域情報に対応する広告情報を提供し得る前記ＡＤサーバに対して広告情報リクエストを送信し、
前記ＡＤサーバは、前記広告情報リクエストに応じて、前記アクセスしてきた端末に対応する広告情報を前記ＷＥＢサーバに対してＷＥＢサーバに対して送信し、
前記ＷＥＢサーバは、前記対応する広告情報を前記アクセスしてきた端末に送信する、
広告情報提供システム
が得られる。
【０００７】
また、本発明によれば、アクセスしてきた端末に対して広告情報を提供するＷＥＢサーバであって、
ＩＰアドレスと該ＩＰアドレスの割当てられた端末がどの地域内にあるかを示す地域情報とを互いに関連付けて格納しているＩＰデータベースに対して、前記アクセスしてきた端末のＩＰアドレスに基づいた地域情報リクエストを送信し、前記ＩＰデータベースから前記アクセスしてきた端末に対応する前記地域情報を取得するステップと、
該地域情報に対応する広告情報を提供し得るＡＤサーバに対して広告情報リクエストを送信し、前記広告情報を取得するステップと、
前記アクセスしてきた端末に対して前記広告情報を送信するステップと
を実行するＷＥＢサーバが得られる。
【０００８】
また、本発明によれば、プロセッサ及び記憶装置を備えたコンピュータシステムにおいて前記プロセッサに対して所定の処理を実行させ、前記コンピュータシステムをＷＥＢサーバとして機能させるＷＥＢサーバ用プログラムであって、
前記所定の処理は、
ＩＰアドレスと該ＩＰアドレスの割当てられた端末がどの地域内にあるかを示す地域情報とを互いに関連付けて格納しているＩＰデータベースに対して、前記アクセスしてきた端末のＩＰアドレスに基づいた地域情報リクエストを送信し、前記ＩＰデータベースから前記アクセスしてきた端末に対応する前記地域情報を取得するステップと、
該地域情報に対応する広告情報を提供し得るＡＤサーバに対して広告情報リクエストを送信し、前記広告情報を取得するステップと、
前記アクセスしてきた端末に対して前記広告情報を送信するステップとを備える、
ＷＥＢサーバ用プログラムが得られる。
【発明の効果】
【０００９】
本発明によれば、例えば、日本からアクセスしてきたユーザには日本語の広告情報を提供し、韓国からアクセスしてきたユーザには韓国語の広告情報を提供し、米国からアクセスしてきたユーザには英語の広告情報を提供するといったように、ユーザ毎により効果的に広告情報を提供することができる。
【発明を実施するための最良の形態】
【００１０】
図１に示されるように、本発明の実施の形態による広告情報提供システムは、ＷＥＢサーバ１と、ＩＰアドレスに対応する国情報を備えるＩＰデータベース２と、Ａ国の言語で作成された広告情報を保有しているＡ国用ＡＤサーバ３ａと、Ｂ国の言語で作成された広告情報を保有しているＢ国用ＡＤサーバ３ｂとを備えており、これらはインターネット５に接続されている。更に本実施の形態においては、Ａ国内にあるＡ国ユーザ端末４ａとＢ国内にあるＢ国ユーザ端末４ｂもインターネット５に接続されている。なお、本実施の形態における広告情報には、ユーザ端末のディスプレイ等に表示させるための広告用データ（テキスト、画像、動画その他の各種ＷＥＢデータ）が含まれている。
【００１１】
本実施の形態によるＷＥＢサーバ１は、例えば図２に示されるようなＷＥＢサーバ端末１０上に具現化される。具体的には、ＷＥＢサーバ端末１０は、互いにバス接続されたＣＰＵ１１、主記憶１２、補助記憶１３及び送受信部１４を備えている。このうち主記憶１２は例えばＤＲＡＭなどで構成されており、補助記憶１３は例えばＨＤＤなどで構成されている。補助記憶１３には、ＷＥＢサーバ用プログラム及びデフォルト広告情報（後述）が格納されている。ＷＥＢサーバ用プログラムは、主記憶１２上に展開されＣＰＵ１１によって実行されることにより、ＷＥＢサーバ端末１０を後述するＷＥＢサーバ１として機能させる。なお、主記憶１２上には、ＣＰＵ１１がプログラムに従って動作している間に生成したデータやＣＰＵ１１によって利用されるデータ（ＩＰアドレス、国情報、広告情報等：後述）も一時的に格納される。送受信部１４はＣＰＵ１１の制御によりＷＥＢサーバ１とインターネット５との接続を確立する。
【００１２】
同様に、Ａ国用ＡＤサーバ３ａ及びＢ国用ＡＤサーバ３ｂも、例えば図３に示されるようなＡＤサーバ端末３０上に具現化される。ここで、Ａ国用ＡＤサーバ３ａの補助記憶３３には、Ａ国の言語で作成された広告情報が格納されており、Ｂ国用ＡＤサーバ３ｂの補助記憶３３には、Ｂ国の言語で作成された広告情報が格納されている。図４に示されるように、本実施の形態によるＡ国用ＡＤサーバ３ａ及びＢ国用ＡＤサーバ３ｂは、広告情報リクエストを受信すると（ステップＳ３０１）、広告情報を送信する（ステップＳ３０２）。なお、Ａ国用ＡＤサーバ３ａ及びＢ国用ＡＤサーバ３ｂの夫々の所在地はＡ国内及びＢ国内に限定されず、その他の国に存在していてもよい。
【００１３】
本実施の形態によるＩＰデータベース２は、ＩＰアドレスを伴った地域情報リクエストを受信すると、そのＩＰアドレスで特定される端末がどの国の国内にあるかを国情報（地域情報）としてＷＥＢサーバ１に送信する機能を有している。
【００１４】
図５に示されるように、ＷＥＢサーバ１は、任意のユーザ端末からのアクセスを受付けると（ステップＳ１０１）、そのユーザ端末のＩＰアドレスを伴った地域情報リクエストをＩＰデータベース２へ送信し（ステップＳ１０２）、ユーザ端末の国情報を取得（ステップＳ１０３）する。次に、取得した国情報に基づいてユーザ端末がどこの国の国内にあるかを判定する（ステップＳ１０４）。アクセスしてきたユーザ端末４ａがＡ国内にあると判定した場合は、Ａ国用ＡＤサーバ３ａに対して広告情報リクエストを送信して（ステップＳ１１０）Ａ国用の広告情報を取得し（ステップＳ１１１）、ユーザ端末４ａに対してその広告情報を送信する（ステップＳ１１２）。また、アクセスしてきたユーザ端末４ｂがＢ国内にあると判定した場合は、Ｂ国用ＡＤサーバ３ｂに対して広告情報リクエストを送信して（ステップＳ１２０）Ｂ国用の広告情報を取得し（ステップＳ１２１）、ユーザ端末４ｂに対してその広告情報を送信する（ステップＳ１２２）。更に、ステップＳ１０４において、アクセスしてきた端末がＡ国及びＢ国のいずれでもない国に属するものと判定した場合には、当該端末に対してデフォルト広告情報を送信する（ステップＳ１３０）。
【００１５】
なお、ＷＥＢサーバ１の処理における国情報を判定するステップ（図５のステップＳ１０４）は、理解を容易にするために、Ａ国、Ｂ国及びそれ以外の国の３パターンしか考慮しないものとしていたが、判定する国の数を増やしてもよい。更に、その場合、国情報を判定するステップについてはテーブルなどを用いることとしてもよい。
【００１６】
次に、図６を参照しつつ、本実施の形態による広告情報提供システムの全体の流れについて、Ａ国ユーザ端末４ａがＷＥＢサーバ１にアクセスした場合を例に説明する。Ａ国ユーザ端末４ａがＷＥＢサーバ１にアクセスすると（ＳＱ６０１）、ＷＥＢサーバ１は、Ａ国ユーザ端末４ａのＩＰアドレスを用いて地域情報リクエストをＩＰデータベース２に送信する（ＳＱ６０２）。ＩＰデータベース２は、ＷＥＢサーバ１に対して国名『Ａ国』を送信する（ＳＱ６０３）。ＷＥＢサーバ１は、Ａ国用ＡＤサーバ３ａに対して広告情報リクエストを送信する（ＳＱ６０４）。Ａ国用ＡＤサーバ３ａは、広告情報をＷＥＢサーバ１に対して送信する（ＳＱ６０５）。ＷＥＢサーバ１は、取得した広告情報をＡ国ユーザ端末４ａに対して送信し（ＳＱ６０６）、Ａ国端末４ａのブラウザ上等に当該広告情報を表示させる。
【００１７】
なお、図７に示されるように、広告情報リクエストを受けたＡ国用ＡＤサーバ３ａは、外部の広告情報データベース６にアクセスして広告情報を取得し、取得した広告情報をＷＥＢサーバ１に送信することとしてもよい。これにより、例えば、広告主が管理する広告情報データベース６等を利用して最新の広告情報をユーザに対して提供することができる。
【００１８】
以上説明したように、本発明の実施形態による広告情報提供システムによれば、ＷＥＢサーバにアクセスしてくるユーザにとって適した言語の広告を表示し得るため、効果の高い広告情報の提供を行なうことができる。
【００１９】
なお、本発明による広告情報提供方法は、いわゆる期限切れドメインにアクセスしてきたユーザに対する広告情報の提供に用いられてもよいし、サイト内のバナー広告部分や、ポップアップ広告、検索エンジンによる検索結果表示ページのスポンサーサイト欄、ブログ（ウェブログ）ページの一部（ブログパーツ）への広告情報の提供に用いられてもよい。更に、上述した形態においては、地域情報を『国』情報としていたが、地域情報を国内の『地方』の情報や『都道府県』情報とし、これらの地域に適した広告情報を提供することとしてもよい。
【図面の簡単な説明】
【００２０】
【図１】本発明の実施の形態による広告情報提供システムを示す図である。
【図２】図１におけるＷＥＢサーバ端末の構成を示す図である。
【図３】図１におけるＡＤサーバ端末の構成を示す図である。
【図４】本実施の形態によるＡＤサーバの動作を示すフローチャートである。
【図５】本実施の形態によるＷＥＢサーバの動作を示すフローチャートである。
【図６】本実施の形態による広告情報提供システムの全体の流れを示す図である。
【図７】図１の広告情報提供システムの変形例を示す図である。
【符号の説明】
【００２１】
１    ＷＥＢサーバ
２    ＩＰデータベース
３ａ    Ａ国用ＡＤサーバ
３ｂ    Ｂ国用ＡＤサーバ
４ａ    Ａ国ユーザ端末
４ｂ    Ｂ国ユーザ端末
５    インターネット
６    広告情報データベース
１１，３１    ＣＰＵ
１２，３２    主記憶
１３，３３    補助記憶
１４，３４    送受信部
【図１】
2010049404.tif 000003
【図２】
2010049404.tif 000004
【図３】
2010049404.tif 000005
【図４】
2010049404.tif 000006
【図５】
2010049404.tif 000007
【図６】
2010049404.tif 000008
【図７】
2010049404.tif 000009